(57)【要約】【課題】本発明はディスプレイパネル拭掃において求められる毛先の拡散を良好に惹起し、拡散した毛先による拭掃効果を発揮する拭掃用ブラシ材を提供する。【解決手段】合成樹脂から成るモノフィラメント１１ａを多数本集束して撚合した構造を有する複数本の拭掃用マルチフィラメント撚合糸１２ａを形成し、他方該拭掃用マルチフィラメント撚合糸１２ａを形成するモノフィラメント１１ａよりも低融点のモノフィラメント１１ｂを多数本集束して撚合した構造を有する融着用マルチフィラメント撚合糸１２ｂを形成し、上記複数本の拭掃用マルチフィラメント撚合糸１２ａと上記融着用マルチフィラメント撚合糸１２ｂを集束すると共に撚合して複撚合糸１３を形成し、上記融着用マルチフィラメント撚合糸１２ｂを形成する低融点マルチフィラメント１１ｂの熱溶融を介して上記各拭掃用マルチフィラメント撚合糸１２ａ相互を融着した構造を有する拭掃用ブラシ材。【選択図】        図３
2006174958.tif 000002
【特許請求の範囲】
【請求項１】
合成樹脂から成るモノフィラメントを多数本集束すると共に撚合した構造を有する複数本の拭掃用マルチフィラメント撚合糸を形成し、他方該拭掃用マルチフィラメント撚合糸を形成するモノフィラメントよりも低融点のモノフィラメントを多数本集束すると共に撚合した構造を有する融着用マルチフィラメント撚合糸を形成し、上記複数本の拭掃用マルチフィラメント撚合糸と上記融着用マルチフィラメント撚合糸を集束すると共に撚合してマルチフィラメント複撚合糸を形成し、上記融着用マルチフィラメント撚合糸を形成する低融点マルチフィラメントの熱溶融を介して上記各拭掃用マルチフィラメント撚合糸相互を融着した構造を有することを特徴とするディスプレイパネル又は電子情報記録ディスクの拭掃用ブラシ材。
【請求項２】
上記拭掃用マルチフィラメント撚合糸を形成するモノフィラメントと上記融着用マルチフィラメント撚合糸を形成するモノフィラメントとがナイロンから成ることを特徴とする請求項１記載のディスプレイパネル又は電子情報記録ディスクの拭掃用ブラシ材。
【請求項３】
上記融着用マルチフィラメント撚合糸が拭掃用マルチフィラメント撚合糸よりも小径であることを特徴とする請求項１又は請求項２記載のディスプレイパネル又は電子情報記録ディスクの拭掃用ブラシ材。
【発明の詳細な説明】
【技術分野】
【０００１】
本発明はテレビやパソコン等の生産工程におけるディスプレイパネル又は電子情報記録ディスクの表面の汚れを拭掃する目的で提供された拭掃用ブラシ材に関する。
【背景技術】
【０００２】
従来液晶ディスプレイパネル、プラズマディスプレイパネル、有機ＥＬディスプレイパネル等のディスプレイパネルの拭掃に供されているブラシ材は、図１Ａに示すように０．０２ｍｍφ程度の合成樹脂製モノフィラメント１を多数本集束し撚合して成る複数本の拭掃用マルチフィラメント撚合糸２を撚り合わせてマルチフィラメント複撚合糸３を形成し、該マルチフィラメント複撚合糸３を図１Ｂに示すように溶融接着材内へ浸漬する等して該接着材をマルチフィラメント複撚合糸３の表層部に含浸させつつマルチフィラメント複撚合糸３の周面を接着材層４で被覆したブラシ材３′を使用している。
【０００３】
例えば上記マルチフィラメント複撚合糸３群から成るブラシ材３′を二つ折りにし、該二つ折り部をＵ字形チャンネルで挟着し、該Ｕ字形チャンネルを回転軸に密着螺旋巻きして回転ブラシを形成し、ディスプレイパネルの表面にアルカリ洗浄液等をシャワーすると共に、該回転ブラシを回転させつつブラシ材３′の毛先でディスプレイパネルの表面を拭掃する方法を採っている。
【発明の開示】
【発明が解決しようとする課題】
【０００４】
而してディスプレイパネル拭掃用のブラシ材としては、ブラシ材の毛先に順次均一な拡散を生じ、該拡散を生じた毛先がパネル表面に柔らかくタッチできること、毛腰が強いこと等の性能が要求されるが、上記した接着材で被覆した従来のブラシ材は毛先の拡散を生じ難く、アルカリ洗浄液による洗浄効果を低下する問題点を有している。
【０００５】
又接着材がアルカリ洗浄液による劣化を生じて上記拡散に伴い接着材の粒子が剥離しパネルに付着し、拭掃目的を減殺する問題点を有している。
【課題を解決するための手段】
【０００６】
本発明は上記ディスプレイパネル、又は光ディスク、磁気ディスク等の電子情報記録ディスクの拭掃用ブラシ材に求められる条件を適切に達成する、適性に富むブラシ材を提供するものである。
【０００７】
このブラシ材は合成樹脂から成るモノフィラメントを多数本集束すると共に撚合した構造を有する拭掃用マルチフィラメント撚合糸を単位材とする。
【０００８】
他方拭掃用マルチフィラメント撚合糸の融着手段として、上記拭掃用マルチフィラメント撚合糸を形成するモノフィラメントよりも低融点のモノフィラメントを多数本集束すると共に撚合した構造を有する融着用マルチフィラメント撚合糸を形成する。
【０００９】
更に上記拭掃用マルチフィラメント撚合糸の複数本を集束すると共に撚合し、該撚合に際し、上記融着用マルチフィラメント撚合糸を集束すると共に一緒に撚合してマルチフィラメント複撚合糸を形成する。
【００１０】
適例として、三本の拭掃用マルチフィラメント撚合糸を三角点の各頂点に配置して撚合し、その芯部に上記一本の融着用マルチフィラメント撚合糸を介在して上記三本の拭掃用マルチフィラメント撚合糸と一緒に撚合する。
【００１１】
そして上記融着用マルチフィラメント撚合糸を形成する低融点マルチフィラメントを熱溶融し、該熱溶融を介して該融着用マルチフィラメント撚合糸と接する上記各拭掃用マルチフィラメント撚合糸相互を融着せしめ、ディスプレイパネル又は電子情報記録ディスクの拭掃用ブラシ材を構成したものである。
【００１２】
上記拭掃用マルチフィラメント撚合糸を形成するモノフィラメントと、上記融着用マルチフィラメント撚合糸を形成するモノフィラメントとは、ナイロン、例えば拭掃用マルチフィラメント撚合糸には融点の高い６６ナイロンを用い、融着用マルチフィラメント撚合糸には融点の低い６ナイロンを用いる。
【００１３】
ナイロンは耐衝撃性・耐薬品性が大きく、吸湿性が小さく、拭掃用ブラシ材として適性である。
【００１４】
上記拭掃用マルチフィラメント撚合糸を形成するモノフィラメントとしては、０．１ｍｍφ以下、適例として０．０２〜０．０６ｍｍφの太さを有するものを用いる。
【００１５】
他方上記融着用マルチフィラメント撚合糸を形成するモノフィラメントとしては、例えば０．０２〜０．０６ｍｍφの太さを有するものを用い、好ましくは拭掃用マルチフィラメント撚合糸を形成するモノフィラメントよりも充分に小径のものを用いる。
【００１６】
又は拭掃用マルチフィラメント撚合糸を形成するモノフィラメントと、上記融着用マルチフィラメント撚合糸を形成するモノフィラメントとは、略同径のものを用い、例えば０．０２〜０．０６ｍｍφの範囲で太さを選択する。
【００１７】
更には上記融着用マルチフィラメント撚合糸は拭掃用マルチフィラメント撚合糸よりも小径のものを用いる。又は上記融着用マルチフィラメント撚合糸と拭掃用マルチフィラメント撚合糸とは略同径のものを用いる。
【００１８】
上記ブラシ材は前記の如く二つ折りにし、該二つ折り基部をＵ字形チャンネルで挟着してチャンネル形ブラシを形成し、該チャンネル形ブラシを回転軸に密着螺旋巻きして回転ブラシを形成し、ディスプレイパネル又は電子情報記録用ディスクの表面にアルカリ洗浄液等をシャワーすると共に、該回転ブラシを回転数２００ｒｐｍ〜３００ｒｐｍで回転させつつ、毛先をディスプレイパネル又は電子情報記録用ディスクの表面に押し当ててその表面を拭掃し洗浄する。
【発明の効果】
【００１９】
本発明に係る上記ブラシ材はパネル拭掃において求められる毛先の拡散を良好に惹起し、拡散した毛先による拭掃効果を発揮することができる。
【００２０】
又適切な毛腰の強さが得られ、拡散した毛先をパネル又はディスク表面に柔らかくタッチさせながら、適当な腰の強さで拡散し拡散した毛先をパネル表面に押し付けて拭掃効果を高める。
【００２１】
又従来ブラシ材の如き被覆接着材のアルカリ劣化、該アルカリ劣化と衝撃による同被覆接着材の剥離と分散の問題を生起せず、該剥離、分散した接着材粒子がパネル又はディスク表面へ付着して拭掃目的を減殺する問題を解消する。
【００２２】
又被覆接着材により拭掃用マルチフィラメント撚合糸を拘束して毛先拡散性を阻害する問題を解消し、上記の如く毛先を充分に拡散して拭掃効果を向上でき、所定の摩耗量に到るまで拭掃機能を健全に維持する。
【発明を実施するための最良の形態】
【００２３】
以下本発明に係るディスプレイパネルの拭掃用ブラシ材の最良の形態を図２乃至図５に基づき説明する。
【００２４】
図２Ａに示すように合成樹脂から成る極細のモノフィラメント１１ａを６０〜１５０本程度、多数本集束してマルチフィラメント束を形成すると共に、撚合して拭掃用マルチフィラメント撚合糸１２ａを形成する。
【００２５】
他方図２Ｂに示すように、上記モノフィラメント１１ａよりも充分に低融点の合成樹脂から成る極細のモノフィラメント１１ｂを２０〜５０本程度、多数本集束してマルチフィラメント束を形成すると共に、撚合して融着用マルチフィラメント撚合糸１２ｂを形成する。
【００２６】
図２Ｃに示すように、上記拭掃用マルチフィラメント撚合糸１２ａの三本を集束すると共に、撚合してマルチフィラメント複撚合糸１３を形成する。この三本の拭掃用マルチフィラメント撚合糸１２ａは図３Ａに示すように正三角形の各頂点に配置する。
【００２７】
而して上記三本の拭掃用マルチフィラメント撚合糸１２ａを撚合するに際し、その芯部に上記一本の融着用マルチフィラメント撚合糸１２ｂを介挿し、撚合糸１２ａ，１２ｂを一緒に撚合して上記マルチフィラメント複撚合糸１３を形成する。
【００２８】
上記融着用マルチフィラメント撚合糸１２ｂを三本の拭掃用マルチフィラメント撚合糸１２ａ間に介挿することにより、隣接する拭掃用マルチフィラメント撚合糸１２ａ間に熱流通間隔２１を形成し、加熱炉内における加熱気体を該間隔２１を通して融着用マルチフィラメント撚合糸１２ｂの周面に確実に接触せしめ、その溶融を促進する。
【００２９】
図３Ｂに示すように、上記マルチフィラメント複撚合糸１３を加熱炉内を定速で通過させて極細の融着用マルチフィラメント撚合糸１２ｂの全部又は一部、少なくとも表層部のモノフィラメント１１ｂを加熱溶融せしめてフィラメント１１ｂを相互に熱融着すると同時に、該モノフィラメント１１ｂの溶融材を介し、これを接着材として三本の拭掃用マルチフィラメント撚合糸１２ａ相互を表層部のモノフィラメント１１ａにおいて熱融着しブラシ材１３′を形成する。
【００３０】
即ち融着用マルチフィラメント撚合糸１２ｂと三本の拭掃用マルチフィラメント撚合糸１２ａとの長手方向の接触領域Ｗ１において上記融着を図り、この接触融着領域Ｗ１以外の領域Ｗ２において非融着状態を形成する。１４は領域Ｗ１における融着部である。
【００３１】
上記拭掃用マルチフィラメント撚合糸１２ａは非融着領域Ｗ２において良好な拡散性を発揮し拭掃効果を向上する。
【００３２】
上記拭掃用マルチフィラメント撚合糸１２ａを形成する極細のモノフィラメント１１ａは０．１ｍｍφ以下、好ましくは０．０２〜０．０６ｍｍφの合成樹脂、適例として耐アルカリに富むナイロンから成り、例えば０．０３ｍｍφのモノフィラメント１１ａを６０〜１５０本程度集束して撚りを与え、前記拭掃用マルチフィラメント撚合糸１２ａを形成する。
【００３３】
他方上記融着用マルチフィラメント撚合糸１２ｂを形成するモノフィラメント１１ｂとしては、例えば０．０２〜０．０６ｍｍφの太さを有するものを用い、好ましくは拭掃用マルチフィラメント撚合糸１２ａを形成するモノフィラメント１１ａよりも充分に小径のものを用いる。
【００３４】
上記融着用マルチフィラメント撚合糸１２ｂを形成するモノフィラメント１１ｂもナイロンを用い、両者１２ａ，１２ｂをナイロン製モノフィラメントとする。
【００３５】
６ナイロンの融点は２１５〜２２０℃  ６６ナイロンの融点は２５５〜２６０℃、６１０ナイロンの融点は２１４〜２１７℃、６１２ナイロンの融点は２１３〜２１６℃、１１ナイロンの融点は１８６〜１８９℃、１２ナイロンの融点は１７８〜１８１℃である。
【００３６】
具体例として拭掃用マルチフィラメント撚合糸１２ａのモノフィラメント１１ａには融点の高い６６ナイロンを用い、融着用マルチフィラメント撚合糸１２ｂのモノフィラメント１１ｂには融点の低い６ナイロンを用いる。
【００３７】
又他例として前者１１ａには融点の高い６６ナイロンを用い、後者には融点の低い１１ナイロン又は１２ナイロンを用いる。
【００３８】
ナイロンは耐衝撃性・耐薬品性が大きく、吸湿性が小さく、拭掃用ブラシ材として適性である。
【００３９】
好ましくは、融着用マルチフィラメント撚合糸１２ｂを形成するモノフィラメント１１ｂとしては、拭掃用マルチフィラメント撚合糸１２ａを形成するモノフィラメント１１ａよりも充分に細いモノフィラメントを用いる。
【００４０】
又は拭掃用マルチフィラメント撚合糸１２ａを形成するモノフィラメント１１ａと、上記融着用マルチフィラメント撚合糸１２ｂを形成するモノフィラメント１１ｂとは、略同径のもの、例えば０．０２〜０．０６ｍｍφの範囲から同径の太さのものを選択する。
【００４１】
更に好ましくは、上記融着用マルチフィラメント撚合糸１２ｂは拭掃用マルチフィラメント撚合糸１２ａよりも小径のものを用いる。例えばモノフィラメントの本数と径の選択により、拭掃用マルチフィラメント撚合糸１２ａの径を０．２〜０．６ｍｍφとし、融着用マルチフィラメント撚合糸１２ｂの径を０．１〜０．３ｍｍφとする。
【００４２】
又は上記融着用マルチフィラメント撚合糸１２ｂと拭掃用マルチフィラメント撚合糸１２ａとは略同径のものを用いる。
【００４３】
図５Ａに示すように、上記ブラシ材１３′は二つ折りにして芯材１５に跨がせ、該二つ折り基部を芯材１５と一緒にＵ字形チャンネル１６で挟着してチャンネル形ブラシ１７を形成する。
【００４４】
図５Ｂに示すように、上記チャンネル形ブラシ１７は回転軸１８に密着螺旋巻きして回転ブラシ１９を形成し、該回転ブラシ１９周面の毛先を刈り揃え、高密度にブラシ材１３′を植装した同回転ブラシ１９を得る。
【００４５】
上記回転ブラシ１９の毛先をディスプレイパネル又は電子情報記録用ディスクの表面に押し当て、該パネル又はディスクの表面にアルカリ洗浄液等をシャワーしつつ、回転数２００ｒｐｍ〜３００ｒｐｍで回転させてパネル又はディスク表面を拭掃し洗浄する。
【００４６】
図４に示すように、上記ブラシ材１３′は上記拭掃時に拭掃用マルチフィラメント撚合糸１２ａの毛先のモノフィラメント１１ａ群が、融着用マルチフィラメント撚合糸１２ｂによる融着部１４を順次分離しながら、毛先において均一で適正な長さの活性な毛先拡散２０を有効に惹起する。
【００４７】
上記拭掃用マルチフィラメント撚合糸１２ａの融着領域Ｗ１以外の非融着領域Ｗ２のモノフィラメント１１ａ群は良好な拡散を生じ有効な拭掃効果を発揮する。
【００４８】
同様に上記融着用マルチフィラメント撚合糸１２ｂはその融着されていない芯部のモノフィラメント１１ｂ群が拡散を生じて拭掃に供され、モノフィラメント１１ｂ群で形成した意義を有する。
【００４９】
上記ブラシ材１３′は複数本の拭掃用マルチフィラメント撚合糸１２ａと融着用マルチフィラメント撚合糸１２ｂの複撚合によって、適度な毛腰の強さが得られ、充分な毛先拡散２０を生じた毛先をパネル又はディスク表面に柔らかくタッチさせながら、適度な腰の強さで押し付けて拭掃効果を高め、洗浄効果を高める。
【００５０】
上記ブラシ材１３′は拭掃用マルチフィラメント撚合糸１２ａ相互が融着用マルチフィラメント撚合糸１２ｂを介して融着し結合しているので、従来ブラシ材の如き被覆接着材が劣化・剥離、分散する事態を生起せず、該剥離、分散した接着材粒子がパネル又はディスク表面へ付着して拭掃目的を減殺する問題を解消する。
【００５１】
又被覆接着材により拭掃用マルチフィラメント撚合糸１２ａを拘束して毛先拡散性を阻害する問題を解消し、上記の如く毛先を充分に拡散して拭掃効果を向上でき、所定の摩耗量に到るまで拭掃機能を健全に維持する。
【００５２】
以上説明した実施形態は三本の拭掃用マルチフィラメント撚合糸１２ａの芯部に一本の融着用マルチフィラメント撚合糸１２ｂを介挿し、撚合した場合を示したが、二本乃至六本程度の拭掃用マルチフィラメント撚合糸１２ａを用い、該複数本の拭掃用マルチフィラメント撚合糸１２ａと、一から三本程度の融着用マルチフィラメント撚合糸１２ｂを集束し撚合することにより、上記と同様この複数本の拭掃用マルチフィラメント撚合糸１２ａを融着用マルチフィラメント撚合糸１２ｂを介して融着する場合を含むものである。
【図面の簡単な説明】
【００５３】
【図１】Ａは従来のディスプレイパネル拭掃用ブラシ材を形成する拭掃用マルチフィラメント糸を撚合して形成した撚合糸の斜視図、Ｂは該撚合糸に溶融接着材を含浸させて形成したブラシ材の斜視図。
【図２】Ａは本発明に係るディスプレイパネル又は電子情報記録用ディスク拭掃用ブラシ材を形成する拭掃用マルチフィラメント撚合糸の斜視図、Ｂは該拭掃用マルチフィラメント撚合糸を結合するための融着用マルチフィラメント撚合糸の斜視図、Ｃは三本の拭掃用マルチフィラメント撚合糸と一本の融着用マルチフィラメント撚合糸を撚合して形成した複撚合糸の斜視図。
【図３】Ａは上記複撚合糸の融着前の状態を示す端面図、Ｂは該複撚合糸の融着後の状態を示す端面図。
【図４】上記複撚合糸によって形成したブラシ材の毛先の拡散状態を示す側面図。
【図５】Ａは上記ブラシ材を用いて形成したチャンネル形ブラシの斜視図、Ｂは該チャンネル形ブラシを用いて形成した回転ブラシの断面図。
【符号の説明】
【００５４】
１１ａ・・・拭掃用マルチフィラメント撚合糸を形成する極細のモノフィラメント
１１ｂ・・・融着用マルチフィラメント撚合糸を形成する極細のモノフィラメント
１２ａ・・・拭掃用マルチフィラメント撚合糸
１２ｂ・・・融着用マルチフィラメント撚合糸
１３・・・・マルチフィラメント複撚合糸
１３′・・・ブラシ材
１４・・・・熱融着部
１５・・・・芯材
１６・・・・Ｕ字形チャンネル
１７・・・・チャンネル形ブラシ
１８・・・・回転軸
１９・・・・回転ブラシ
２０・・・・毛先拡散部
２１・・・・熱流通間隔
Ｗ１・・・・融着領域
Ｗ２・・・・非融着領域
【図１】
2006174958.tif 000003
【図２】
2006174958.tif 000004
【図３】
2006174958.tif 000005
【図４】
2006174958.tif 000006
【図５】
2006174958.tif 000007